(57)【要約】      （修正有）【課題】両足を揃えて乗せることができる面積を有し、多数の足裏のツボが同時に適宜に選択され、足裏の痛みが一部に集中することを防止し、程好い指圧の効果を得られる、足裏指圧板を提供する。【解決手段】指圧板本体の所定位置に形成された多数の孔に指圧棒９が配設され、上面部６から突出している。指圧板本体は、大径孔８及び小径孔７が形成された踏み台２と底板５とからなり、大径孔８は、上端に段１３を有すると共に小径孔７と垂直に対応している。指圧棒９は、上から、半球状の刺激部１０と、大径部１１及び差込部１２とを有する円柱体であり、大径部１１と底板５との間に介装されたコイルバネ１４は、該指圧器の付勢手段で有る。指圧棒９が上方へ抜け出さないように、通常時は大径部１１が段１３に付勢されている。【選択図】図２
0003221227.tif 000002
【実用新案登録請求の範囲】
【請求項１】
指圧板本体の上面部の所定位置に多数の孔を備え、前記孔から指圧棒が突出したことを特徴とする足裏指圧板。
【請求項２】
前記孔に備わった指圧棒が上下方向に可動することを特徴とする請求項１記載の足裏指圧板。
【請求項３】
前記指圧棒の下にコイルバネを備えたことを特徴とする請求項２記載の足裏指圧板。
【請求項４】
前記指圧板本体前方の両角、または、両角のすぐ斜め内側の前記指圧棒の一部を高くしたことを特徴とする請求項３記載の足裏指圧板。
【考案の詳細な説明】
【技術分野】
【０００１】本考案は、足裏に存する多数のツボをマッサージする足裏指圧板に関するものである。
【背景技術】
【０００２】足裏のツボを刺激するために、従来より各種足裏指圧器具が開発され、使用されて来た。例えば、従来の足裏指圧器具は、上面部から突出した指圧棒が足裏形状のように構成されたものにあっては、人によって足裏の大きさ又は形状が異なるため、使用者の足裏形状が指圧板の足裏形状に合わないことも有り、足裏を好適なマッサージ効果が得られないことも問題があった。（例えば、特許文献１）。
また、指圧器具の構造が複雑で有り、製作コスト高になる等のも問題があった（例えば、特許文献２）。
【先行技術文献】
【特許文献】
【０００３】
【特許文献１】特開２００４−１５４３９５
【０００４】
【特許文献２】実用新案登録第３１６６８８９号
【考案が解決するための課題】
【０００５】そこで、前記問題点を解決する為に、考案したもので有って、両足を揃えて、乗せることができる面積を有して、多数の足裏のツボが同時に適宜に選択されることにより、足裏の痛みが一部に集中することを防止でき、また、製作が容易で且つ安価にて製作できるとした指圧器を提供するものである。
【課題を解決するための手段】
【０００６】この考案は、指圧器本体の上面部の所定位置に備えた多数の孔に、指圧棒が上下方向可動に緩挿され、前記指圧棒が各指圧棒の下にコイルバネが配装されており、指圧棒の上から足裏の荷重を加わると押し下げられたコイルバネ弾性力によって、足裏に刺激を与える様になっている。
【考案の効果】
【０００７】本考案の足裏指圧板は、両足を揃えて乗せることができる面積を有して、足裏をマッサージする際は、方向、角度を気にせず、自由度が高く、足踏み運動することができる。また、多数の足裏の壺を適宜に刺激されることにより、足裏の痛みが一部に集中することを防止でき、心地の良い指圧効果が得られる。
【図面の簡単な説明】
【０００８】
【図１】本考案の足裏指圧板の一実施例を示す斜視図である。
【図２】同実施例の指圧板の断面図である。
【図３】同実施例の指圧板の一部拡大断面図である。
【考案を実施するための形態】
【０００９】指圧器本体の所定位置に備えた多数の孔に指圧棒が配設され、上面部から垂直に突出している。指圧棒は、上から、半球状の刺激部、中部に大径部及び下部に差込部を備えている、円柱体である。指圧器本体は、大径孔および小径孔が形成された踏み台と底板とからなり、大径孔は、上端に段を有すると共に小径孔と垂直に対応している。大径部と底板との間に介装されているコイルバネは、該指圧器の付勢手段で有る。指圧棒９毎に反復押圧すると上下往復動するようになっている。
【実施例】
【００１０】本考案の実施例に係る足裏指圧器を図１、図２及び図３で説明する。指圧器本体１の所定位置に形成された、多数の小径孔７に配設された指圧棒９が上面部６から垂直に突出している。指圧棒９は、上から、半球状の刺激部１０と大径部１１及び差込部１２とを備えており、木、合成樹脂などで形成された円柱体である。指圧器本体１は、中板３と上板４から構成された踏み台２と底板５とからなり、本実施例の踏み台２は、図２に示す如く、小径孔７が形成された上板４を大径孔８が形成された中板３の上に垂直に重ねて、ビスなど適宜止め部材で固定し、一体的に形成されている。これにより、大径孔８は、上端に段１３を介して小径孔７と垂直に対応している。また、前記大径部１１と底板との間に介装されたコイルバネは、該指圧器の付勢手段である。【００１１】また、足指の付け根に存するツボを刺激するために、指圧板本体１の外縁部に位置する前記指圧棒９より高くした指圧棒９ａは、この実施例では、指圧板本体１の横方向両端部の前方に設置している。【００１２】ここで、上記各部材を説明する。指圧器本体１は、木、合成樹脂などからなり、実施例では、木製よりなり、図１に示す如く縦２６ｃｍ、横２８ｃｍ、高さ４ｃｍ程度であって、略直方体部材である。なお、使用者によって、足裏の大きさが異なることも有り、それを考慮し、上記寸法に限らず、適切な範囲にて拡大または縮小してもよい。【００１３】次に、指圧棒９は、実施例では、木、合成樹脂などの木製よりなり、円柱体で、直径８ｍｍ、好ましくは６〜１２ｍｍの範囲であって、上面部６から突出している部分の長さは１４ｍｍにしている、好ましくは１１〜１９ｍｍの範囲である。【００１４】次に、本実施の付勢手段である、図３に示した様に、大径部１１と底板５との間に介装されたコイルバネ１４は、一般に使用とされる圧縮コイルバネであって、無負荷時の高さは、２〜３ｃｍ程度である。【００１５】指圧板本体１において、図３に示す如く、コイルバネ１４及び指圧棒９を収容する大径孔８は、円筒形状かつ厚みの有る孔であり、上端に段１３を介して小径孔７と垂直に対応している。コイルバネ１４は、前記大径部１１と底板５との間に介装されており、本実施例の付勢手段である、前記指圧棒９は、上方へ抜け出さないように、通常時は大径部１１が段１３に付勢されている。【００１６】足裏指圧板の組立については、図１、図２に示す如く、踏み台２の裏面から、各大径孔８に指圧棒９を挿入し、順に、圧縮コイルバネ１４を挿入すると同時に前記差込部１２に緩めに嵌め込む。次に、底板５を踏台２の下面に垂直に合わせてビス等係止部材にて封止する。この簡単な構造で、製作が容易に出来ると共に、コストを引き下げることを実現出来る。そして、図示の通り、この例では、両足揃えて乗せることができる面積を有し、指圧板の上に足を乗せた際に方向、角度、気にせず、足踏み運動することが出来ると共に、足裏に沿って満遍なくツボ毎に適宜に刺激され、足裏の痛みは一部に集中することがなく、好適なマッサージが得られる。【００１７】足裏指圧板では、図２に示す通り、刺激部１０に足裏面の荷重を加えるとコイルバネ１４が圧縮されると同時に、前記差込部１２がコイルバネ１４の内孔に貫通し、これにより、押し下げられた指圧棒がより垂直を保持し、同時に、横ズレを防止することが出来る。
【符号の説明】１    指圧板本体
２    踏み台
３    中板
４    上板
５    底板
６    上面部
７    小径孔
８    大径孔
９、９ａ    指圧棒
１０  刺激部
１１  大径部
１２  差込部
１３  段
１４  コイルバネ
【図１】
0003221227.tif 000003
【図２】
0003221227.tif 000004
【図３】
0003221227.tif 000005